(57)【要約】【課題】本体ハウジングに対するフィルタの誤組み付けを防止できる携帯型集塵機を提供すること。【解決手段】携帯型集塵機１は、本体ハウジング１０と、本体ハウジング１０に装着可能なフィルタ６０と、本体ハウジング１０に取り付け可能な前ハウジング７０とを備えている。前ハウジング７０の内面には、本体ハウジング１０に誤組み付けされた状態のフィルタ６０の移動を規制可能な脱落防止リブ７４が形成されている。【選択図】図３
2020014589.tif 000002
【特許請求の範囲】
【請求項１】
本体ハウジングと、
前記本体ハウジングに装着可能なフィルタと、
前記本体ハウジングに取り付け可能な前ハウジングと、を備えており、
前記前ハウジングの内面には、前記本体ハウジングに誤組み付けされた状態の前記フィルタの移動を規制可能な脱落防止リブが形成されている携帯型集塵機。
【請求項２】
請求項１に記載の携帯型集塵機であって、
前記脱落防止リブは、略Ｌ字状に形成されている携帯型集塵機。
【請求項３】
本体ハウジングと、
前記本体ハウジングに装着可能なフィルタと、
前記フィルタが脱落することを防止するロック機構と、を備えており、
前記ロック機構は、前記本体ハウジングに形成されたストッパと、前記フィルタに形成された引掛リブと、から構成され、
前記引掛リブが前記ストッパに重なり合うように前記フィルタを回転させると、前記本体ハウジングから前記フィルタの脱落を防止可能となっており、
前記本体ハウジングには、前記ストッパに前記引掛リブが軸方向に重なり合う状態で前記本体ハウジングに前記フィルタが取り付けられることを防止する誤装着防止リブが形成されている携帯型集塵機。
【請求項４】
請求項３に記載の携帯型集塵機であって、
前記誤装着防止リブは、幅方向に沿って適宜の間隔で複数形成されている携帯型集塵機。
【請求項５】
請求項１に記載の携帯型集塵機であって、
前記フィルタが脱落することを防止するロック機構と、を備えており、
前記ロック機構は、前記本体ハウジングに形成されたストッパと、前記フィルタに形成された引掛リブと、から構成され、
前記引掛リブが前記ストッパに重なり合うように前記フィルタを回転させると、前記本体ハウジングから前記フィルタの脱落を防止可能となっており、
前記本体ハウジングには、前記ストッパに前記引掛リブが軸方向に重なり合う状態で前記本体ハウジングに前記フィルタが取り付けられることを防止する誤装着防止リブが形成されている携帯型集塵機。
【発明の詳細な説明】
【技術分野】
【０００１】
本発明は、携帯型集塵機に関し、詳しくは、本体ハウジングと、本体ハウジングに装着可能なフィルタとを備えている携帯型集塵機に関する。
【背景技術】
【０００２】
従来、ハンディクリーナと称される携帯型集塵機が既に知られている。このような携帯型集塵機は、主として、本体ハウジングと、本体ハウジングの装着リブに挿し込んで装着可能（取り付けおよび取り外し可能）なフィルタと、本体ハウジングの装着リブに装着（外装）したフィルタを収容した状態で本体ハウジングに取り付け可能な前ハウジングとから構成されている。そして、本体ハウジングに収容されているモータの駆動により回転するファンが塵埃を含むエアを吸い込むと、この吸い込まれたエアがフィルタを通過する。したがって、この吸い込まれたエアに含まれる塵埃をフィルタによって捕捉できる。
【０００３】
ここで、下記特許文献１には、本体ハウジング１１０に形成された一対のストッパ１２１と、一対のストッパ１２１に重なり合い可能にフィルタ１６０に形成された一対の引掛リブ１６３とから構成されているロック機構１８０を備えた携帯型集塵機１０１が開示されている（図１５参照）。これにより、本体ハウジング１１０の装着リブ１１８に装着したフィルタ１６０を回転させると、この本体ハウジング１１０の一対のストッパ１２１にフィルタ１６０の一対の引掛リブ１６３を引っ掛けることができる、すなわち、ロック機構１８０を作動させることができる。そのため、この本体ハウジング１１０の装着リブ１１８に装着したフィルタ１６０が前ハウジング１７０の内部（塵埃を貯め可能な貯留部）で脱落することを防止できる。
【先行技術文献】
【特許文献】
【０００４】
【特許文献１】特開２０１５−１９５８８１号公報
【発明の概要】
【発明が解決しようとする課題】
【０００５】
しかしながら、上述した特許文献１の技術では、一対のストッパ１２１と一対の引掛リブ１６３とが重なり合う状態でも、本体ハウジング１１０の装着リブ１１８にフィルタ１６０を挿し込んで装着可能となっている（図１６参照）。そのため、前ハウジング１７０の内部で脱落することを防止できない状態（ロック機構１８０を作動させることができない状態）で本体ハウジング１１０の装着リブ１１８にフィルタ１６０が挿し込まれることがあった。すなわち、本体ハウジング１１０にフィルタ１６０が誤組み付けされてしまうことがあった。このようにフィルタ１６０が誤組み付けされてしまうと、使用状態（ファン１１３が塵埃を含むエアを吸い込んでいる状態）における携帯型集塵機１０１の使用姿勢が前下り姿勢であるため、このフィルタ１６０が本体ハウジング１１０から自重によって脱落する（外れてしまう）ことがあった（図１７参照）。したがって、吸い込まれたエアの一部がフィルタ１６０を通過することなく、直に、ファンに取り込まれることがあった。
【０００６】
本発明は、このような事情に鑑みなされたものであって、本発明が解決しようとする課題は、本体ハウジングに対するフィルタの誤組み付けを防止できる携帯型集塵機を提供することである。
【課題を解決するための手段】
【０００７】
本発明は、上記の目的を達成するためのものであって、以下のように構成されている。請求項１に記載の発明は、本体ハウジングと、本体ハウジングに装着可能なフィルタと、本体ハウジングに取り付け可能な前ハウジングとを備えている携帯型集塵機である。前ハウジングの内面には、本体ハウジングに誤組み付けされた状態のフィルタの移動を規制可能な脱落防止リブが形成されている。
【０００８】
請求項１の発明によれば、フィルタが前ハウジングの内部で脱落することを防止できる状態と同じ状態となる。すなわち、フィルタが装着された状態と同じ作用効果を得ることができる。したがって、フィルタを回転させることを忘れてしまうといった誤りが生じていても、本体ハウジングに挿し込んだフィルタの脱落を防止できる。結果として、本体ハウジングに対するフィルタの誤組み付けを防止できる。
【０００９】
また、請求項２に記載の発明は、請求項１に記載の携帯型集塵機であって、脱落防止リブは、略Ｌ字状に形成されている。
【００１０】
請求項２の発明によれば、脱落防止リブを強固なものにできる。
【００１１】
また、請求項３に記載の発明は、本体ハウジングと、本体ハウジングに装着可能なフィルタと、フィルタが脱落することを防止するロック機構とを備えている携帯型集塵機である。ロック機構は、本体ハウジングに形成されたストッパと、フィルタに形成された引掛リブとから構成されている。引掛リブがストッパに重なり合うようにフィルタを回転させると、本体ハウジングからフィルタの脱落を防止可能となっている。本体ハウジングには、ストッパに引掛リブが軸方向に重なり合う状態で本体ハウジングにフィルタが取り付けられることを防止する誤装着防止リブが形成されている。
【００１２】
請求項３の発明によれば、本体ハウジングに対してフィルタを装着するとき、このフィルタの引掛リブが本体ハウジングのストッパに重なり合う状態になっていると、この本体ハウジングの誤装着防止リブにフィルタの引掛リブが干渉する。そのため、このフィルタを本体ハウジングに装着することができない。したがって、このフィルタの装着において、誤りが生じていることを作業者に気付かせることができる。結果として、本体ハウジングに対するフィルタの誤組み付けを防止できる。
【００１３】
また、請求項４に記載の発明は、請求項３に記載の携帯型集塵機であって、誤装着防止リブは、幅方向に沿って適宜の間隔で複数形成されている。
【００１４】
請求項４の発明によれば、フィルタの引掛リブが誤装着防止リブに対して干渉し損ねることがない。そのため、本体ハウジングに対するフィルタの誤組み付けを確実に防止できる。
【００１５】
また、請求項５に記載の発明は、請求項１に記載の携帯型集塵機であって、フィルタが脱落することを防止するロック機構を備えている。ロック機構は、本体ハウジングに形成されたストッパと、フィルタに形成された引掛リブとから構成されている。この携帯型集塵機は、引掛リブがストッパに重なり合うようにフィルタを回転させると、本体ハウジングからフィルタの脱落を防止可能となっている。本体ハウジングには、ストッパに引掛リブが軸方向に重なり合う状態で本体ハウジングにフィルタが取り付けられることを防止する誤装着防止リブが形成されている。
【００１６】
請求項５の発明によれば、請求項１の発明の作用効果と請求項３の発明の作用効果を得ることができる。
【図面の簡単な説明】
【００１７】
【図１】本発明の実施形態に係る携帯型集塵機の右側面図である。
【図２】図１において、前ハウジングの一部を切り欠いた状態を示している。
【図３】図１の縦断面図である。
【図４】図１の前ハウジングの拡大図である。
【図５】図４の前ハウジングを後側から見た斜視図である。
【図６】図３のフィルタを後側から見た斜視図である。
【図７】本体ハウジングに対するフィルタの挿し込みの手順を説明する図である。
【図８】図７の次の手順を説明する図であり、フィルタの装着が完了した状態である。
【図９】図７の挿し込みの手順において、第１の誤りの状態を示す図である。
【図１０】図９の斜視図である。
【図１１】図９の第１の誤りの状態において、前ハウジングの取り付けを説明する右側面図であり、前ハウジングの一部を切り欠いた状態を示している。
【図１２】図１１の縦断面図である。
【図１３】図７の挿し込みの手順において、フィルタの第３の誤りの状態を示す図である。
【図１４】図１３の第３の誤りの状態において、前ハウジングの取り付けを説明する縦断面図である。
【図１５】従来技術に係る携帯型集塵機の縦断面図である。
【図１６】図１５において、フィルタの誤組み付けの状態を示す図である。
【図１７】図１５のフィルタの誤組み付けの状態における携帯型集塵機の使用姿勢を示す図（問題点を説明する図）である。
【発明を実施するための形態】
【００１８】
本発明の実施の形態について図１〜１４を参照しながら説明する。この携帯型集塵機１は、ハンディクリーナと称されるものであり、主として、本体ハウジング１０と、本体ハウジング１０に装着可能なフィルタ装置３０と、本体ハウジング１０に装着したフィルタ装置３０を収容した状態で本体ハウジング１０に取り付け可能な前ハウジング７０と、本体ハウジング１０に装着したフィルタ装置３０の脱落を防止するロック機構８０とを備えている（図１〜３参照）。
【００１９】
以下に、これら本体ハウジング１０と、フィルタ装置３０と、前ハウジング７０とを個別に説明する。なお、この携帯型集塵機１は、図１における図示右側を前側と称し、図示左側を後側と称するのが慣例である。そのため、以下の説明でも特に断らない限り、この慣例にしたがい前後の方向を用いている。また、上下および左右の方向は、この前後の方向を基準として用いている。
【００２０】
まず、本体ハウジング１０から説明する。この本体ハウジング１０は、携帯型集塵機１の外郭の後側を成すように構成されている（図１〜２参照）。この本体ハウジング１０には、モータ１１と、モータ１１の駆動軸１２に組み付けられたファン１３が収容されている（図３参照）。また、この本体ハウジング１０の後方上側には、作業者が手（いずれも図示しない）で握り可能なループ状のハンドル１４が形成されている。このハンドル１４には、ハンドル１４を握った手の指でＯＮ−ＯＦＦ操作可能な操作ボタン１５が設けられている。
【００２１】
また、この本体ハウジング１０の前側には、後述する前ハウジング７０の開口７２に対して連通する貫通孔１７が形成されている。この貫通孔１７の外周には、円筒状の装着リブ１８が前側に向けて突出するように形成されている。また、この本体ハウジング１０の前縁には、外周面に螺旋状の一対の溝２０を有する取付部１９が周方向に沿って形成されている（図７参照）。この取付部１９の内周面の上側と下側とには、一対のストッパ２１が形成されている。また、この取付部１９の内周面の前方上側と前方下側とには、一対のストッパ２１に対して軸方向に重なり合うように一対の誤装着防止リブ２２が形成されている。この誤装着防止リブ２２は、左右方向に沿って適宜の間隔で複数形成されている。
【００２２】
また、この本体ハウジング１０の左側と右側とには、スリット状の排気口２３が複数形成されている。また、この本体ハウジング１０の後方下側は、凹みを成すように形成されている。この凹みには、バッテリ２６を後側から前側に向けて装着可能なバッテリ装着部２５が形成されている。また、この本体ハウジング１０の後側には、ストラップ２７が掛け留めされている。これにより、携帯型集塵機１を壁に取り付けられたフック（いずれも図示しない）に引っ掛けて保管できる。
【００２３】
本体ハウジング１０は、このように構成されている。このように構成されている本体ハウジング１０は、左右に２分割を成す樹脂製の半割ハウジング１０ａ、１０ｂから構成されている。そして、この半割ハウジング１０ａ、１０ｂは、互いを組み付けると本体ハウジング１０を成すように、その適宜の箇所が複数のビス１０ｃ（一部、図示しない）によって留められている。
【００２４】
次に、フィルタ装置３０を説明する。このフィルタ装置３０は、フレーム４０と、布フィルタ５０と、フィルタ６０とから構成されている（図３、６参照）。フレーム４０は、前側に形成されているリング材４１が後側に形成されているリング材４２より狭径を成す略円筒状の樹脂部材から構成されている。このように構成されているフレーム４０は、その後側に形成されているリング材４２に形成されている一対の係合穴（図示しない）が本体ハウジング１０の装着リブ１８に形成されている一対の係合爪に係合することで本体ハウジング１０の装着リブ１８に装着されている。
【００２５】
また、布フィルタ５０は、後述するフィルタ６０の内部を沿う（内部を覆う）格好を成す開口５１を有する袋状の布部材から構成されている。このように構成されている布フィルタ５０は、後述するフィルタ６０の内部を沿う格好を成すように（布フィルタ５０の開口５１とフィルタ６０の開口６２とを一致させて内部を覆うように）フィルタ６０の内部に収容されている。また、この布フィルタ５０は、エアを通過させることができる通気性を有するように形成されている。そのため、このエアに含まれる塵埃を布フィルタ５０によって捕捉できる。
【００２６】
また、フィルタ６０は、略円筒状の骨格６１から成る樹脂部材から構成されている。このフィルタ６０は、その後側に形成されている開口６２を除く全ての面がエアを通過させることができるように網目（図示しない）状に形成されている。そのため、このエアに含まれる塵埃をフィルタ６０によって捕捉できる。また、このフィルタ６０の開口６２の上側と下側とには、一対の引掛リブ６３が形成されている。
【００２７】
このように構成されているフィルタ６０は、その一対の引掛リブ６３が本体ハウジング１０の一対のストッパ２１に重なり合うことがないように位置合わせされた状態で（図７参照）、その開口６２が本体ハウジング１０の装着リブ１８に挿し込まれている。なお、この開口６２が挿し込まれたフィルタ６０は、その一対の引掛リブ６３が本体ハウジング１０の一対のストッパ２１に重なり合うように回転された状態となっている（図８参照）。
【００２８】
これにより、このフィルタ６０が本体ハウジング１０の装着リブ１８から自重によって脱落する（外れてしまう）ことがあっても、この本体ハウジング１０の一対のストッパ２１にフィルタ６０の一対の引掛リブ６３が引っ掛かる。すなわち、ロック機構８０を作動させることができる。そのため、この本体ハウジング１０の装着リブ１８に挿し込まれたフィルタ６０が前ハウジング７０の後述する貯留部７３で脱落することを防止できる。
【００２９】
このように脱落の防止が施されたフィルタ６０の挿し込みを「フィルタ６０の装着」と記すこととする。一方、脱落の防止が施されることなく、単なるフィルタ６０の挿し込みを「フィルタ６０の誤組み付け」と記すこととする。フィルタ装置３０は、これらフレーム４０と、布フィルタ５０と、フィルタ６０とから構成されている。なお、上述した本体ハウジング１０の一対のストッパ２１とフィルタ装置３０のフィルタ６０の一対の引掛リブ６３とが、ロック機構８０に相当する。
【００３０】
最後に、前ハウジング７０を説明する。この前ハウジング７０は、携帯型集塵機１の外郭の前側を成す略釣鐘状に構成されている（図１〜２、４参照）。この前ハウジング７０の前側には、ノズル状に形成されエアを吸い込み可能な吸込口７１が設けられている。また、この前ハウジング７０の後側には、その内部と連通する開口７２が形成されている（図５参照）。
【００３１】
また、この前ハウジング７０の内部は、上述したフィルタ装置３０のフィルタ６０が捕捉した塵埃を貯め可能な貯留部７３となっている。また、この前ハウジング７０の内周面の前側には、略Ｌ字状の一対の脱落防止リブ７４が形成されている。また、この前ハウジング７０の内周面の後側には、本体ハウジング１０の取付部１９の一対の溝２０に捩じり込み可能な一対の突部７５が形成されている。前ハウジング７０は、このように構成されている。
【００３２】
このように構成されている前ハウジング７０の一対の突部７５を本体ハウジング１０の取付部１９の一対の溝２０に案内させて一方側に捩じると、この本体ハウジング１０に対して前ハウジング７０を周知のバヨネット結合によって取り付けることができる。このとき、この取り付けた前ハウジング７０の一対の脱落防止リブ７４がフィルタ装置３０のフィルタ６０の前側の軸方向の移動を規制する（図２〜３参照）。そのため、本体ハウジング１０に装着したフィルタ装置３０のガタツキを抑えることができる。
【００３３】
なお、この取り付けた前ハウジング７０の一対の突部７５を他方側に捩じると、この前ハウジング７０を本体ハウジング１０から取り外すことができる。携帯型集塵機１は、これら本体ハウジング１０と、フィルタ装置３０と、前ハウジング７０と、ロック機構８０とから構成されている。
【００３４】
次に、上述した携帯型集塵機１の動作を説明する。まず、操作ボタン１５をＯＮさせてバッテリ２６からの電源によってモータ１１を駆動させる。すると、モータ１１の駆動軸１２の駆動によってファン１３が回転するため、前ハウジング７０の吸込口７１からエアが吸い込まれる。この吸い込まれたエアは、フィルタ装置３０のフィルタ６０の網目および布フィルタ５０を通過して、フィルタ装置３０のフレーム４０のリング材４２の開口４２ａおよび本体ハウジング１０の貫通孔１７を介して排気口２３から排出される。
【００３５】
この吸い込みから排出に至るエアの流れにより、吸込口７１から吸い込まれたエアに含まれる塵埃は、フィルタ装置３０のフィルタ６０の網目および布フィルタ５０に捕捉され、この捕捉された塵埃は前ハウジング７０の貯留部７３に貯められる。したがって、このエアに含まれる塵埃を除去できる。
【００３６】
なお、上述した本体ハウジング１０の装着リブ１８に対するフィルタ６０の挿し込みにおいて、３つの誤り（第１の誤り〜第３の誤り）が起こり得る。以下に、これら起こり得る３つの誤りとその対処を個別に説明する。
【００３７】
まず、１つ目の誤り（第１の誤り）から説明する。上述したように本体ハウジング１０の装着リブ１８に対してフィルタ６０を挿し込むとき、このフィルタ６０の一対の引掛リブ６３が本体ハウジング１０の一対のストッパ２１に重なり合う状態になっていると（図９参照）、この本体ハウジング１０の一対の誤装着防止リブ２２にフィルタ６０の一対の引掛リブ６３が干渉する。そのため、このフィルタ６０の開口６２を本体ハウジング１０の装着リブ１８に挿し込むことができない。
【００３８】
この記載が、特許請求の範囲に記載の「前記本体ハウジングには、前記ストッパに前記引掛リブが軸方向に重なり合う状態で前記本体ハウジングに前記フィルタが取り付けられることを防止する誤装着防止リブが形成されている」に相当する。したがって、このフィルタ６０の挿し込みにおいて、誤り（第１の誤り）が生じていることを作業者に気付かせることができる。結果として、本体ハウジング１０の装着リブ１８に対するフィルタ６０の誤組み付けを防止できる。
【００３９】
このとき、フィルタ６０を本体ハウジング１０の装着リブ１８に挿し込むことができなくても、このフィルタ６０がフレーム４０に保持されることがある（図１０参照）。すなわち、第１の誤り状態であっても、本体ハウジング１０の装着リブ１８に対するフィルタ６０の挿し込みが完了したといった誤認識が作業者に生じることがある。その場合でも、この本体ハウジング１０に前ハウジング７０を取り付けると、この取り付ける前ハウジング７０の一対の脱落防止リブ７４がフィルタ６０の前側に干渉する（図１１〜１２参照）。
【００４０】
そのため、この取り付ける前ハウジング７０は、その一対の突部７５を本体ハウジング１０の取付部１９の一対の溝２０に案内させることができない状態となる。したがって、このフィルタ６０の挿し込みにおいて、誤り（２つ目の誤り（第２の誤り））が生じていることを作業者に気付かせることができる。結果として、本体ハウジング１０の装着リブ１８に対するフィルタ６０の誤組み付けを防止できる。
【００４１】
最後に、３つ目の誤り（第３の誤り）を説明する。上述したように本体ハウジング１０に対してフィルタ６０を挿し込むとき、本体ハウジング１０の装着リブ１８に挿し込んだフィルタ６０を回転させることを忘れてしまうことがある。その場合、この挿し込んだフィルタ６０が前ハウジング７０の内部で脱落することを防止できない誤組み付け状態（ロック機構８０を作動させることができない状態）となっている（図１３参照）。
【００４２】
この状態でも、本体ハウジング１０に前ハウジング７０が取り付けられると、この取り付けられる前ハウジング７０の一対の脱落防止リブ７４がフィルタ装置３０のフィルタ６０の前側の軸方向の移動を規制する（図１４参照）。そのため、この挿し込んだフィルタ６０が前ハウジング７０の内部で脱落することを防止できる状態（ロック機構８０を作動させた状態）と同じ状態となる。すなわち、フィルタ６０が装着された状態と同じ作用効果を得ることができる。したがって、フィルタ６０を回転させることを忘れてしまうといった誤り（第３の誤り）が生じていても、本体ハウジング１０に挿し込んだフィルタ６０の脱落を防止できる。結果として、本体ハウジング１０に対するフィルタ６０の誤組み付けを防止できる。
【００４３】
本発明の実施形態に係る携帯型集塵機１は、上述したように構成されている。この構成によれば、前ハウジング７０の内周面の前側には、脱落防止リブ７４が形成されている。この脱落防止リブ７４は、挿し込んだフィルタ６０が前ハウジング７０の内部で脱落することを防止できない誤組み付け状態でも、本体ハウジング１０に前ハウジング７０が取り付けられると、フィルタ装置３０のフィルタ６０の前側の軸方向の移動を規制可能となっている。そのため、この挿し込んだフィルタ６０が前ハウジング７０の内部で脱落することを防止できる状態（ロック機構８０を作動させた状態）と同じ状態となる。すなわち、フィルタ６０が装着された状態と同じ作用効果を得ることができる。したがって、フィルタ６０を回転させることを忘れてしまうといった誤りが生じていても、本体ハウジング１０に挿し込んだフィルタ６０の脱落を防止できる。結果として、本体ハウジング１０に対するフィルタ６０の誤組み付けを防止できる。
【００４４】
また、この構成によれば、脱落防止リブ７４は、略Ｌ字状に形成されている。そのため、脱落防止リブ７４を強固なものにできる。
【００４５】
また、この構成によれば、取付部１９の内周面の前方上側と前方下側とには、一対のストッパ２１に対して軸方向に重なり合うように一対の誤装着防止リブ２２が形成されている。そのため、本体ハウジング１０の装着リブ１８に対してフィルタ６０を挿し込むとき、このフィルタ６０の一対の引掛リブ６３が本体ハウジング１０の一対のストッパ２１に重なり合う状態になっていると、この本体ハウジング１０の一対の誤装着防止リブ２２にフィルタ６０の一対の引掛リブ６３が干渉する。したがって、このフィルタ６０の開口６２を本体ハウジング１０の装着リブ１８に挿し込むことができない。結果として、このフィルタ６０の挿し込みにおいて、誤り（第１の誤り）が生じていることを作業者に気付かせることができる。すなわち、本体ハウジング１０の装着リブ１８に対するフィルタ６０の誤組み付けを防止できる。
【００４６】
また、この構成によれば、誤装着防止リブ２２は、左右方向に沿って適宜の間隔で複数形成されている。そのため、フィルタ６０の一対の引掛リブ６３が誤装着防止リブ２２に対して干渉し損ねることがない。したがって、本体ハウジング１０の装着リブ１８に対するフィルタ６０の誤組み付けを確実に防止できる。
【００４７】
また、この構成によれば、前ハウジング７０の内周面の前側には、脱落防止リブ７４が形成されている。また、取付部１９の内周面の前方上側と前方下側とには、一対のストッパ２１に対して軸方向に重なり合うように一対の誤装着防止リブ２２が形成されている。そのため、上述したように本体ハウジング１０に対するフィルタ６０の誤組み付けを防止できる。
【００４８】
なお、本発明の実施形態に係る携帯型集塵機１にあっては、上記した実施の形態に限定されるものではなく、次のように適宜個所を変更して構成するようにしてもよい。ストッパ２１、誤装着防止リブ２２、引掛リブ６３は、一対（２個）に限定されるものでなく、１個でも３個でも４個でも構わない。また、複数（２個、３個、４個）の場合、周方向に等間隔を成していても等間隔を成していなくても構わない。
【符号の説明】
【００４９】
１      携帯型集塵機
１０    本体ハウジング
１０ａ  半割ハウジング
１０ｂ  半割ハウジング
１０ｃ  ビス
１１    モータ
１２    駆動軸
１３    ファン
１４    ハンドル
１５    操作ボタン
１７    貫通孔
１８    装着リブ
１９    取付部
２０    溝
２１    ストッパ
２２    誤装着防止リブ
２３    排気口
２５    バッテリ装着部
２６    バッテリ
２７    ストラップ
３０    フィルタ装置
４０    フレーム
４１    リング材
４２    リング材
４２ａ  開口
５０    布フィルタ
５１    開口
６０    フィルタ
６１    骨格
６２    開口
６３    引掛リブ
７０    前ハウジング
７１    吸込口
７２    開口
７３    貯留部
７４    脱落防止リブ
７５    突部
８０    ロック機構
【図１】
2020014589.tif 000003
【図２】
2020014589.tif 000004
【図３】
2020014589.tif 000005
【図４】
2020014589.tif 000006
【図５】
2020014589.tif 000007
【図６】
2020014589.tif 000008
【図７】
2020014589.tif 000009
【図８】
2020014589.tif 000010
【図９】
2020014589.tif 000011
【図１０】
2020014589.tif 000012
【図１１】
2020014589.tif 000013
【図１２】
2020014589.tif 000014
【図１３】
2020014589.tif 000015
【図１４】
2020014589.tif 000016
【図１５】
2020014589.tif 000017
【図１６】
2020014589.tif 000018
【図１７】
2020014589.tif 000019